(57)【特許請求の範囲】
【請求項１】
媒体を支持可能な支持部と、
前記支持部に支持される前記媒体を押さえることが可能な押さえ部と、を備え、
前記支持部と前記押さえ部とを組み合わせた場合に前記押さえ部の下面と対向する領域を対向領域としたとき、前記対向領域において前記押さえ部の下面と対向する対向部が前記支持部に形成される一方、前記対向領域において前記押さえ部の下面と対向する部材が前記支持部に形成されない逃がし領域が設けられており、
前記逃がし領域では、前記支持部に支持され前記押さえ部で押さえられた前記媒体の一部が、前記媒体の支持方向の下側に移動可能であることを特徴とする媒体支持ユニット。 
【請求項２】
請求項１に記載の媒体支持ユニットにおいて、
前記対向部は、前記支持部の縁部分に形成されることを特徴とする媒体支持ユニット。
【請求項３】
請求項２に記載の媒体支持ユニットにおいて、
前記逃がし領域は、前記対向部が前記縁部分の１周未満で形成されることにより、形成されることを特徴とする媒体支持ユニット。
【請求項４】
請求項２又は３に記載の媒体支持ユニットにおいて、
前記押さえ部は、各辺同士が繋がった枠状であることを特徴とする媒体支持ユニット。
【請求項５】
請求項１から４のいずれか１項に記載の媒体支持ユニットにおいて、
前記対向部の前記逃がし領域側の端部は、前記支持方向から見て鋭角となるように構成されていることを特徴とする媒体支持ユニット。
【請求項６】
請求項１から５のいずれか１項に記載の媒体支持ユニットにおいて、
前記対向領域において、前記対向部の形成領域の面積は、前記逃がし領域の面積よりも大きいことを特徴とする媒体支持ユニット。
【請求項７】
請求項１から６のいずれか１項に記載の媒体支持ユニットにおいて、
前記逃がし領域は、前記支持方向から見た前記支持部の一辺の少なくとも一部を含んで形成され、
前記媒体支持ユニットは、前記一辺と反対側の位置から前記媒体の支持動作が可能に構成されていることを特徴とする媒体支持ユニット。
【請求項８】
請求項１から７のいずれか１項に記載の媒体支持ユニットと、
前記媒体支持ユニットに支持された前記媒体に記録を実行可能な記録部と、
を備えることを特徴とする記録装置。
【請求項９】
請求項８に記載の記録装置において、
前記媒体支持ユニットを前記記録部に対して移動可能な移動部を備え、
前記移動部によって第１方向に前記媒体支持ユニットを移動させながら、前記媒体支持ユニットに支持された前記媒体に対して前記記録部により記録を実行可能であり、
前記媒体支持ユニットにおいて、前記逃がし領域は、前記第１方向の後端側に形成されることを特徴とする記録装置。
【請求項１０】
媒体を支持可能な支持部と、前記支持部に支持される前記媒体を押さえることが可能な押さえ部と、を備える媒体支持ユニットにおける媒体支持方法であって、
前記支持部と前記押さえ部とを組み合わせた場合に前記押さえ部の下面と対向する領域を対向領域としたとき、前記対向領域において前記押さえ部の下面と対向する対向部を前記支持部に形成する一方、前記対向領域において前記押さえ部の下面と対向する部材が前記支持部に形成されない逃がし領域が設け、
前記逃がし領域において、前記支持部に支持され前記押さえ部で押さえられた前記媒体の一部を、前記媒体の支持方向の下側に移動可能とすることを特徴とする媒体支持方法。
【発明の詳細な説明】
【技術分野】
【０００１】
本発明は、媒体支持ユニット、記録装置及び媒体支持方法に関する。
【背景技術】
【０００２】
従来から、支持部に支持される媒体を押さえることが可能な押さえ部を備える媒体支持ユニットが使用されている。押さえ部で媒体を押さえることで媒体の浮きを抑制してセットすることが可能になる。  
例えば、特許文献１には、支持部としてのセットトレイと、セットトレイの縁部分全周に亘って押さえることが可能な押さえ部としての枠と、を備える媒体支持ユニットが開示されている。ここで、該媒体支持ユニットの該セットトレイには、縁部分全周に亘って該枠を受けるための縁部が形成されている。
【先行技術文献】
【特許文献】
【０００３】
【特許文献１】特開２０１３−２２７０８９号公報
【発明の概要】
【発明が解決しようとする課題】
【０００４】
しかしながら、支持部の縁部分全周に亘って押さえ部を受けるための縁部が形成されていると、媒体の浮きを抑制して媒体を支持部にセットしても、例えば、媒体が空気中の水分を吸った場合や、媒体にインクを付着させることに伴って媒体が膨潤した場合などにおいて、膨潤した媒体の逃げ場が無く、媒体が浮いてしまう虞がある。
【０００５】
そこで、本発明の目的は、支持部に支持される媒体を押さえることが可能な押さえ部を備える媒体支持ユニットにおいて、媒体の浮きを抑制することを目的にする。
【課題を解決するための手段】
【０００６】
上記課題を解決するための本発明の第１の態様の媒体支持ユニットは、媒体を支持可能な支持部と、前記支持部に支持される前記媒体を押さえることが可能な押さえ部と、を備え、前記支持部は、前記押さえ部と組み合わせた場合に前記媒体の支持方向において前記押さえ部と対向する対向領域のうち、一部の領域である一部領域に対向部が形成され、前記対向領域において前記対向部が形成されず、前記支持部に支持され前記押さえ部で押さえられた前記媒体の一部が移動可能な非形成領域が設けられることを特徴とする。
【０００７】
本発明の第２の態様の媒体支持ユニットは、前記第１の態様において、前記対向部は、前記支持部の縁部分に形成されることを特徴とする。
【０００８】
本発明の第３の態様の媒体支持ユニットは、前記第２の態様において、前記非形成領域は、前記対向部が前記縁部分の１周未満で形成されることにより、形成されることを特徴とする。
【０００９】
本発明の第４の態様の媒体支持ユニットは、前記第２又は第３の態様において、前記押さえ部は、枠状であることを特徴とする。
【００１０】
本発明の第５の態様の媒体支持ユニットは、前記第１から第４のいずれか１つの態様において、前記対向部の前記非形成領域側の端部は、前記支持方向から見て鋭角となるように構成されていることを特徴とする。
【００１１】
本発明の第６の態様の媒体支持ユニットは、前記第１から第５のいずれか１つの態様において、前記対向領域の前記一部領域の面積は、前記非形成領域の面積よりも大きいことを特徴とする。
【００１２】
本発明の第７の態様の媒体支持ユニットは、前記第１から第６のいずれか１つの態様において、前記非形成領域は、前記支持方向から見た前記支持部の一辺の少なくとも一部を含んで形成され、前記媒体支持ユニットは、前記一辺と反対側の位置から前記媒体の支持動作が可能に構成されていることを特徴とする。
【００１３】
本発明の第８の態様の記録装置は、前記第１から第７のいずれか１つの態様の媒体支持ユニットと、前記媒体支持ユニットに支持された前記媒体に記録を実行可能な記録部と、を備えることを特徴とする。
【００１４】
本発明の第９の態様の記録装置は、前記第８の態様において、前記媒体支持ユニットを前記記録部に対して移動可能な移動部を備え、前記移動部によって第１方向に前記媒体支持ユニットを移動させながら、前記媒体支持ユニットに支持された前記媒体に対して前記記録部により記録を実行可能であり、前記媒体支持ユニットにおいて、前記非形成領域は、前記第１方向の後端側に形成されることを特徴とする。
【００１５】
本発明の第１０の態様の媒体支持方法は、媒体を支持可能な支持部と、前記支持部に支持される前記媒体を押さえることが可能な押さえ部と、を備える媒体支持ユニットにおける媒体支持方法であって、前記支持部に、前記押さえ部と組み合わせた場合に前記媒体の支持方向において前記押さえ部と対向する対向領域のうち、一部の領域である一部領域に対向部を形成し、前記対向領域における前記対向部を形成せず、前記支持部に支持され前記押さえ部で押さえられた前記媒体の一部が移動可能な非形成領域を設けることを特徴とする。
【発明の効果】
【００１６】
本発明によれば、支持部に支持される媒体を押さえることが可能な押さえ部を備える媒体支持ユニットにおいて、媒体の浮きを抑制することができる。
【図面の簡単な説明】
【００１７】
【図１】本発明の一実施例に係る記録装置の概略斜視図。
【図２】本発明の一実施例に係る記録装置の概略斜視図。
【図３】本発明の一実施例に係る記録装置の概略正面図。
【図４】本発明の実施例１に係る媒体支持ユニットを表す概略斜視図。
【図５】本発明の実施例１に係る媒体支持ユニットを表す概略側面断面図。
【図６】本発明の実施例１から実施例９に係る媒体支持ユニットを表す概略平面図。
【図７】従来の媒体支持ユニットを表す概略側面断面図。
【発明を実施するための形態】
【００１８】
［実施例１］（図１〜図６）  
以下に、本発明の実施例１の媒体支持ユニット２、並びに、該媒体支持ユニット２を備えた一実施例に係る記録装置１について、添付図面を参照して詳細に説明する。  
最初に、本実施例の記録装置１の概要について説明する。  
図１及び図２は本発明の実施例１に係る記録装置１の概略斜視図であり、このうち図１は本実施例の記録装置１の媒体Ｍ（図４参照）の支持部としてのトレイ４が記録開始位置にある状態、図２はトレイ４が媒体Ｍのセット位置にある状態を表している。  
また、図３は、本実施例の記録装置１の概略正面図である。
【００１９】
本実施例の記録装置１は、媒体Ｍを支持面８で支持した状態で移動方向Ａに移動する媒体支持ユニット２を備えている。媒体支持ユニット２は、媒体Ｍの支持部であるトレイ４を有している。記録装置１は、トレイ４に支持された媒体Ｍを移動方向Ａに搬送する媒体搬送部３を備えている。また、トレイ４はステージ５に載置されている。トレイ４はステージ５と共に、回転レバー９を回転させることにより、媒体Ｍの支持方向Ｃ（高さ方向）に移動する。
【００２０】
また、記録装置１の本体内部にはインクを吐出して媒体Ｍに記録することが可能な記録ヘッド７が備えられている。本実施例において、記録ヘッド７は、媒体Ｍに記録を実行可能な記録部に相当する。そして、本実施例の記録装置１は、記録ヘッド７が設けられたキャリッジ６を移動方向Ａと交差する交差方向Ｂに往復移動させることで、記録ヘッド７を交差方向Ｂに往復移動させながら、記録ヘッド７からトレイ４に支持された媒体Ｍにインクを吐出させて所望の画像を形成する。  
なお、本実施例の記録装置１は、図１及び図２中の手前側（左下方向）がトレイ４への媒体Ｍのセット位置（図２に対応）である。そして、図１及び図２中の奥側（右上方向）の記録開始位置（図１に対応）まで移動方向Ａのうちの方向Ａ１に媒体Ｍをセットしたトレイ４を移動した後、移動方向Ａのうちの方向Ａ２にトレイ４を移動しながら記録する。
【００２１】
なお、本実施例の記録装置１は、交差方向Ｂに往復移動しながら記録する記録ヘッド７を備えているが、インクを吐出するノズルを移動方向Ａと交差する交差方向Ｂに複数設けた所謂ラインヘッドを備える記録装置でもよい。  
ここで、「ラインヘッド」とは、媒体Ｍの移動方向Ａと交差する交差方向Ｂに形成されたノズルの領域が、媒体Ｍの交差方向Ｂ全体をカバー可能なように設けられ、記録ヘッド又は媒体Ｍを相対的に移動させて画像を形成する記録装置に用いられる記録ヘッドである。なお、ラインヘッドの交差方向Ｂのノズルの領域は、記録装置が対応している全ての媒体Ｍの交差方向Ｂ全体をカバー可能でなくてもよい。  
また、本実施例の記録ヘッド７は、媒体Ｍにインクを吐出することで記録を実行可能な記録部であるが、このような記録部に限定されず、例えば、色材を媒体Ｍに転写して記録する転写式の記録部を使用してもよい。
【００２２】
また、本実施例の記録装置１は、図３で表されるように、センサーＳを備えており、トレイ４に支持される媒体Ｍと記録ヘッド７との間隔の異常（媒体Ｍと記録ヘッド７との間隔が狭すぎること）の有無を検出することができる構成になっている。  
ここで、センサーＳは、発光部Ｓｅと受光部Ｓｒとを有している。そして、センサーＳは、発光部Ｓｅから受光部Ｓｒに向けて光を照射し、受光部Ｓｒで該光を受光したか否かに基づいて、該間隔の異常の有無を検出する構成である。ただし、このような構成に限定はない。
【００２３】
次に、本発明の実施例１の媒体支持ユニット２について詳細に説明する。  
ここで、図４は、本実施例の媒体支持ユニット２を表す概略斜視図である。また、図５は、本実施例の媒体支持ユニット２を表す概略側面断面図である。また、図６における図６（Ａ）は、本実施例の媒体支持ユニット２を表す概略平面図である。  
一方、図７は、従来の媒体支持ユニットを表す概略側面断面図であり、本実施例の媒体支持ユニット２を表す図５に対応する図である。
【００２４】
本実施例の媒体支持ユニット２は、上記のように、媒体Ｍを支持可能な支持部としてのトレイ４を備えている。また、図４及び図５で表されるように、トレイ４に支持される媒体Ｍを押さえることが可能な押さえ部１０を備えている。本実施例の媒体支持ユニット２は、図４で表されるように、トレイ４の支持面８に媒体Ｍを載置し、媒体Ｍを載置したトレイ４に対して押さえ部１０を組み合わせることで媒体Ｍを保持する構成である。  
図６に示すように、トレイ４において、移動方向Ａにおける一方側を１６ａ側、移動方向Ａにおける他方側を１６ｃ側と定義する。また、トレイ４において、交差方向Ｂにおける一方側を１６ｂ側、交差方向Ｂにおける他方側を１６ｄ側と定義する。また、本実施形態のように、トレイ４が平面図において四角形（角にアール加工や面取りが施された略四角形を含む）のときは、１６ａ側、１６ｂ側、１６ｃ側及び１６ｄ側を、第１の辺側、第２の辺側、第３の辺側及び第４の辺側、と定義してもよい。  
ここで、図５（Ａ）は、図４で表される状態（媒体Ｍをトレイ４にセットしようとしている状態）から媒体Ｍを載置したトレイ４に対して押さえ部１０を組み合わせた状態を表している。図５（Ｂ）は、図５（Ａ）の状態から記録装置１で記録を行う前に作業者が、トレイ４の１６ａ側、１６ｂ側、１６ｃ側及び１６ｄ側のうちの１６ｃ側（媒体Ｍのセット位置側）から、媒体Ｍを方向Ｆ１に引っ張り、トレイ４に対して押さえ部１０を組み合わせた際に生じていた媒体Ｍの浮き１２（図７（Ｃ）参照）を無くした状態を表している。図５（Ｃ）は、図５（Ｂ）の状態から記録装置１で記録を行うことに伴って媒体Ｍが膨潤し、膨潤した媒体Ｍの一部が１６ａ側から方向Ｆ４に逃げている状態を表している。  
また、図４及び図５で表されるように、トレイ４は、押さえ部１０と組み合わせた場合に媒体Ｍの支持方向Ｃにおいて押さえ部１０の庇部１１の下面１１ａと対向する対向領域Ｒのうち、一部の領域である一部領域Ｒ１に対向部１３が形成されている。詳細には、対向部１３の上面１３ａの一部が、下面１１ａと対向する対向領域Ｒの一部領域Ｒ１に該当している。そして、図５（Ｃ）で表されるように、対向領域Ｒにおいて対向部１３が形成されず、トレイ４に支持され押さえ部１０で押さえられた媒体Ｍの一部が、方向Ｆ４に移動可能な非形成領域Ｒ２が設けられている。すなわち、該非形成領域Ｒ２は、例えば膨潤した媒体Ｍを逃がすための領域（逃がし領域）となっている。このため、本実施例の媒体支持ユニット２は、媒体Ｍが膨潤した際の媒体の浮き１２を抑制することができる構成になっており、このことに伴い、本実施例の記録装置１は、媒体Ｍが膨潤しても媒体Ｍの浮き１２を抑制して記録することができる構成になっている。
【００２５】
別の表現をすると、本実施例の媒体支持ユニット２を用い、トレイ４に、押さえ部１０と組み合わせた場合に媒体Ｍの支持方向Ｃにおいて押さえ部１０と対向する対向領域Ｒうち、一部の領域である一部領域Ｒ１に対向部１３を形成し、対向領域Ｒにおける対向部１３を形成せず、トレイ４に支持され押さえ部１０で押さえられた媒体Ｍの一部が、方向Ｆ４に移動可能な非形成領域Ｒ２を設けている。こうして、該非形成領域Ｒ２を形成して膨潤した媒体Ｍを逃がすための逃がし領域を形成することで、媒体Ｍが膨潤した際の媒体Ｍの浮き１２を抑制することができる。
【００２６】
なお、本実施例の媒体支持ユニット２は、媒体Ｍを載置したトレイ４に対して押さえ部１０を組み合わせた状態（図５（Ａ）の状態）から、１６ｃ側から媒体Ｍを方向Ｆ１に引っ張り媒体Ｍの浮き１２を無くそうとすると、図５（Ｂ）の一部拡大図Ｘで表されるように、押さえ部１０全体も方向Ｆ１に移動する。こうして、押さえ部１０が媒体Ｍを介してトレイ４に突き当てられ、１６ａ側において押さえ部１０とトレイ４とで媒体Ｍが挟持され、媒体Ｍ全体が方向Ｆ１に移動してしまう（媒体Ｍがトレイ４から滑り落ちてしまう）ことが抑制される。  
一方、従来の媒体支持ユニットでは、媒体Ｍを載置したトレイ４に対して押さえ部１０を組み合わせた状態（図７（Ａ）の状態）から、１６ｃ側から媒体Ｍを方向Ｆ１に引っ張り媒体Ｍの浮き１２を無くそうとすると、図７（Ｂ）で表されるように、押さえ部１０に方向Ｆ２の力が加わる。このような状態になると、１６ａ側において押さえ部１０とトレイ４とによる媒体Ｍの挟持力は弱くなり、媒体Ｍ全体が方向Ｆ１に移動してしまいやすくなる。さらには、押さえ部１０がトレイ４から外れてしまう虞もある。
【００２７】
また、本実施例の媒体支持ユニット２は、膨潤した媒体Ｍを逃がすための逃がし領域に対応する非形成領域Ｒ２が形成されているため、媒体Ｍが膨潤した際の媒体Ｍの浮き１２を抑制することができる。例えば、図５（Ｃ）で表されるように、記録装置１で記録を行うことに伴って媒体Ｍが方向Ｆ３に向かって膨潤しても、膨潤した媒体Ｍの一部が１６ａ側から方向Ｆ４に逃げることができるため、トレイ４に支持された媒体Ｍの浮き１２を抑制できる。  
一方、従来の媒体支持ユニットでは、１６ａ側、１６ｂ側、１６ｃ側及び１６ｄ側の全ての縁部分に切れ間なく対向部１３が形成されている。このため、例えば、図７（Ｃ）で表されるように、記録装置で記録を行うことに伴って媒体Ｍが方向Ｆ３に向かって膨潤すると、１６ａ側において膨潤した媒体Ｍが逃げられず、トレイ４に支持された媒体Ｍに浮き１２が発生してしまう場合がある。
【００２８】
図４、図５及び図６（Ａ）で表されるように、本実施例の媒体支持ユニット２では、対向部１３はトレイ４の縁部分に形成されている。このため、トレイ４の縁部分に沿って媒体Ｍを押さえ部１０で押さえることができ、媒体Ｍの浮きを効果的に抑制して媒体Ｍをトレイ４にセットすることができる構成になっている。
【００２９】
別の表現をすると、本実施例の押さえ部１０は枠状であり、押さえ部１０は、トレイ４と組み合わせた場合に、該押さえ部１０と対向する対向領域Ｒの一部領域Ｒ１において、トレイ４の縁部分に形成される対向部１３と対向する。このため、トレイ４の縁部分に沿って媒体Ｍを押さえることができ、媒体Ｍの浮きを効果的に抑制して媒体Ｍをトレイ４にセットすることができる構成になっている。  
なお、「枠状」とは、切れ間なく１周、物の周囲を縁取ることが可能な構成に限定されず、物の周囲を概ね縁取ることが可能な構成であれば切れ間がある構成も含む意味である。
【００３０】
また、図４で表されるように、非形成領域Ｒ２は、トレイ４の１６ａ側、１６ｂ側、１６ｃ側及び１６ｄ側の縁部分のうちの１６ａ側の縁部分にのみ、すなわち、トレイ４の縁部分の一部に構成されている。別の表現をすると、非形成領域Ｒ２は、対向部１３がトレイ４の縁部分の１周未満となるように形成されていることにより、形成されている。このため、非形成領域Ｒ２を簡単に形成しているとともに、トレイ４の縁部分に沿って媒体Ｍを押さえることができることで、媒体Ｍの浮きを効果的に抑制して媒体Ｍをトレイ４にセットすることができる構成になっている。
【００３１】
また、図４及び図６（Ａ）で表されるように、対向部１３の非形成領域Ｒ２側の端部１３ｂは、支持方向Ｃから見て鋭角となるように構成されている。すなわち、対向部１３は、支持方向Ｃから見て、非形成領域Ｒ２側の端部１３ｂに向かうにつれて幅が狭くなるように構成されている。このため、媒体Ｍが引っ掛かり難い構成となっており、対向部１３の非形成領域Ｒ２側の端部１３ｂにおいて例えば膨潤した媒体Ｍを該非形成領域Ｒ２を通じて逃がす際に媒体Ｍが引っ掛かることを抑制することができる構成になっている。  
なお、非形成領域Ｒ２側の端部１３ｂが例えばＲ加工（角が取られた加工）されている構成でもよく、このような構成でも、例えば膨潤した媒体Ｍを該非形成領域Ｒ２を通じて逃がす際に媒体Ｍが引っ掛かることを抑制することができる。
【００３２】
また、図６（Ａ）で表されるように、対向領域Ｒの一部領域Ｒ１の面積は、非形成領域Ｒ２の面積よりも大きい。すなわち、対向領域Ｒにおいて、対向部１３の形成領域の面積は対向部１３の非形成領域の面積よりも大きい。このため、対向部１３の形成領域の面積が小さくなることで押さえ部１０の媒体Ｍを押さえる効果が不十分になるということを抑制している。また、対向部１３の形成領域の面積が小さいとトレイ４に対して押さえ部１０が不安定になり易いが、トレイ４に対して押さえ部１０が不安定になることを抑制している。
【００３３】
また、本実施例の媒体支持ユニット２は、トレイ４の１６ｃ側から媒体Ｍの支持動作（媒体Ｍをトレイ４にセットするセット動作）が可能に構成されている。具体的には、図２において、トレイ４の左下側がトレイ４の１６ｃ側に該当する。このため、図４及び図６（Ａ）で表されるように、非形成領域Ｒ２は、支持方向Ｃから見たトレイ４の１６ａ側の一辺の少なくとも一部を含んで形成され、媒体支持ユニット２は、トレイ４の１６ａ側の一辺と反対側の位置から媒体Ｍの支持動作が可能であると言える。すなわち、該媒体支持ユニット２に対する作業者は、媒体Ｍの支持動作の作業位置（図２における記録装置１の左下側の位置）から非形成領域Ｒ２が最も遠い位置となる状態で媒体支持ユニット２への媒体Ｍの支持動作を実行できると言える。  
媒体Ｍの支持動作において、その作業位置から遠い位置に媒体Ｍの浮き１２が生じていた場合、一般的にそれを直す作業（浮き１２を無くす作業）は手間がかかる。しかしながら、該作業位置から遠い位置に非形成領域Ｒ２を形成することで、該作業位置から遠い位置に媒体Ｍの浮き１２が生じていても非形成領域Ｒ２により浮き１２を簡単に逃がす（抑制する）ことができる。例えば、トレイ４の１６ａ側（該作業位置から遠い位置）に浮き１２が発生しても媒体Ｍの自重により非形成領域Ｒ２を通じて該浮き１２を逃がすことが可能になる。このため、本実施例の媒体支持ユニット２は、媒体Ｍの浮き１２を無くす作業の作業効率が高くなるように構成されていると言える。
【００３４】
また、本実施例の記録装置１は、媒体支持ユニット２を記録ヘッド７に対して移動方向Ａに移動可能な移動部としての媒体搬送部３を備えている。そして、媒体搬送部３によって移動方向Ａのうちの第１方向としての方向Ａ２に媒体支持ユニット２を移動させながら、媒体支持ユニット２に支持された媒体Ｍに対して記録ヘッド７により記録を実行可能である。  
ここで、媒体支持ユニット２において、非形成領域Ｒ２は、方向Ａ２の後端側に形成されている。このため、媒体Ｍにインクを吐出して記録する本実施例の記録装置１においては、記録に伴って媒体Ｍが媒体支持ユニット２の移動方向である方向Ａ２に膨潤していく場合においても、方向Ａ２の後端側に非形成領域Ｒ２が形成されることで、効率的に媒体Ｍの浮き１２を逃がす（抑制する）ことができる。
【００３５】
なお、図４で表されるように、本実施例のトレイ４には、ステージ５から取り外して床などに設置する際の設置部１４と、ステージ５に対して位置決め可能な位置決め部１５とを備えている。ただし、トレイ４の構成に特に限定はない。
【００３６】
［実施例２から９］（図６（Ｂ）から（Ｉ））  
次に、本発明の実施例２から９に係る媒体支持ユニット２について説明する。  
図６は、本発明の実施例１から９に係る媒体支持ユニット２の概略平面図であり、上記の通り図６（Ａ）は実施例１の媒体支持ユニット２を表している。ここで、図６（Ｂ）から（Ｉ）は、実施例２から９の媒体支持ユニット２を表しており、上記実施例１と共通する構成部材は同じ符号で示している。
【００３７】
図６（Ｂ）で表される実施例２の媒体支持ユニット２は、対向部１３が、支持方向Ｃから見て、非形成領域Ｒ２側の端部１３ｂに向かうにつれて幅が狭くなるように構成されていないこと以外は、実施例１の媒体支持ユニット２同様の構成である。  
また、図６（Ｃ）で表される実施例３の媒体支持ユニット２は、トレイ４の１６ａ側ではなく、トレイ４の１６ｃ側に非形成領域Ｒ２が設けられる構成である。  
また、図６（Ｄ）で表される実施例４の媒体支持ユニット２は、トレイ４の１６ａ側におけるトレイ４の１６ｂ及び１６ｄ側の一部にまで、非形成領域Ｒ２が設けられる構成である。  
また、図６（Ｅ）で表される実施例５の媒体支持ユニット２は、トレイ４の１６ａ側ではなく、トレイ４の１６ｂ側に非形成領域Ｒ２が設けられる構成である。  
また、図６（Ｆ）で表される実施例６の媒体支持ユニット２は、トレイ４の１６ａ側に加えて、トレイ４の１６ｃ側にも非形成領域Ｒ２が設けられる構成である。  
また、図６（Ｇ）で表される実施例７の媒体支持ユニット２は、トレイ４の１６ａ側、１６ｂ側、１６ｃ側及び１６ｄ側の中央部に非形成領域Ｒ２が設けられる構成である。  
また、図６（Ｈ）で表される実施例８の媒体支持ユニット２は、トレイ４の４隅に非形成領域Ｒ２が設けられる構成である。  
また、図６（Ｉ）で表される実施例９の媒体支持ユニット２は、実施例１から８の媒体支持ユニット２がいずれかの方向から見ると対称な構成であるのとは異なり、いずれの方向から見ても非対称な構成である。
【００３８】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００３９】
本発明の第１の態様の媒体支持ユニット２は、媒体Ｍを支持可能な支持部４と、支持部４に支持される媒体Ｍを押さえることが可能な押さえ部１０と、を備え、支持部４は、押さえ部１０と組み合わせた場合に媒体Ｍの支持方向Ｃにおいて押さえ部１０と対向する対向領域Ｒのうち、一部の領域である一部領域Ｒ１に対向部１３が形成され、対向領域Ｒにおいて対向部１３が形成されず、支持部４に支持され押さえ部１０で押さえられた媒体Ｍの一部が移動可能な非形成領域が設けられることを特徴とする。
【００４０】
本態様によれば、支持部４は、押さえ部１０と組み合わせた場合に媒体Ｍの支持方向Ｃにおいて押さえ部１０と対向する対向領域Ｒのうち、一部の領域である一部領域Ｒ１に対向部１３が形成されている。そして、対向領域Ｒにおいて対向部１３が形成されず、支持部４に支持され押さえ部１０で押さえられた媒体Ｍの一部が移動可能な非形成領域Ｒ２が設けられている。すなわち、該非形成領域Ｒ２が例えば膨潤した媒体Ｍを逃がすための領域（逃がし領域）となる。このため、媒体Ｍの浮き１２を抑制することができる。
【００４１】
本発明の第２の態様の媒体支持ユニット２は、第１の態様において、対向部１３は、支持部４の縁部分に形成されることを特徴とする。
【００４２】
本態様によれば、対向部１３は支持部４の縁部分に形成される。このため、支持部４の縁部分に沿って媒体Ｍを押さえることができ、媒体Ｍの浮き１２を効果的に抑制して媒体Ｍを支持部４にセットすることができる。
【００４３】
本発明の第３の態様の媒体支持ユニット２は、第２の態様において、非形成領域Ｒ２は、対向部１３が縁部分の１周未満で形成されることにより、形成されることを特徴とする。
【００４４】
本態様によれば、非形成領域Ｒ２は、対向部１３が支持部４の縁部分の１周未満で形成されることにより、形成される。すなわち、非形成領域Ｒ２は支持部４の縁部分の一部に形成される。このため、非形成領域Ｒ２を簡単に形成できるとともに、支持部４の縁部分に沿って媒体Ｍを押さえることができることで、媒体Ｍの浮き１２を効果的に抑制して媒体Ｍを支持部４にセットすることができる。
【００４５】
本発明の第４の態様の媒体支持ユニット２は、第２又は第３の態様において、押さえ部１０は、枠状であることを特徴とする。
【００４６】
本態様によれば、押さえ部１０は枠状である。すなわち、押さえ部１０は、支持部４と組み合わせた場合に、支持部４の縁部分に形成される対向部１３と対向する。このため、支持部４の縁部分に沿って媒体Ｍを押さえることができ、媒体Ｍの浮きを効果的に抑制して媒体Ｍを支持部４にセットすることができる。  
なお、「枠状」とは、切れ間なく１周、物の周囲を縁取ることが可能な構成に限定されず、物の周囲を概ね縁取ることが可能な構成であれば切れ間がある構成も含む意味である。
【００４７】
本発明の第５の態様の媒体支持ユニット２は、第１から第４のいずれか１つの態様において、対向部１３の非形成領域Ｒ２側の端部１３ｂは、支持方向Ｃから見て鋭角となるように構成されていることを特徴とする。
【００４８】
本態様によれば、対向部１３の非形成領域Ｒ２側の端部１３ｂは、支持方向Ｃから見て鋭角となるように構成されている。すなわち、対向部１３は、支持方向Ｃから見て、非形成領域Ｒ２側の端部１３ｂに向かうにつれて幅が狭くなるように構成されている。このため、媒体Ｍが引っ掛かり易い構成を避けることが可能になり、対向部１３の非形成領域Ｒ２側の端部１３ｂにおいて例えば膨潤した媒体Ｍを該非形成領域Ｒ２を通じて逃がす際に媒体Ｍが引っ掛かることを抑制することが可能になる。
【００４９】
本発明の第６の態様の媒体支持ユニット２は、第１から第５のいずれか１つの態様において、対向領域Ｒの一部領域Ｒ１の面積は、非形成領域Ｒ２の面積よりも大きいことを特徴とする。
【００５０】
本態様によれば、対向領域Ｒの一部領域Ｒ１の面積は非形成領域Ｒ２の面積よりも大きい。すなわち、対向領域Ｒにおいて、対向部１３の形成領域の面積は対向部の非形成領域の面積よりも大きい。このため、対向部１３の形成領域の面積が小さくなることで押さえ部１０の媒体Ｍを押さえる効果が不十分になるということを抑制できる。また、対向部１３の形成領域の面積が小さいと支持部４に対して押さえ部１０が不安定になり易いが、支持部４に対して押さえ部１０が不安定になることを抑制できる。
【００５１】
本発明の第７の態様の媒体支持ユニット２は、第１から第６のいずれか１つの態様において、非形成領域Ｒ２は、支持方向Ｃから見た支持部４の一辺の少なくとも一部を含んで形成され、媒体支持ユニット２は、一辺と反対側の位置から媒体Ｍの支持動作が可能に構成されていることを特徴とする。
【００５２】
本態様によれば、非形成領域Ｒ２は支持方向Ｃから見た支持部４の一辺の少なくとも一部を含んで形成され、媒体支持ユニット２は一辺と反対側の位置から媒体Ｍの支持動作（媒体Ｍを支持部４にセットするセット動作）が可能である。すなわち、該媒体支持ユニット２に対する作業者は、媒体Ｍの支持動作の作業位置から非形成領域Ｒ２が最も遠い位置となる状態で媒体支持ユニット２への媒体Ｍの支持動作を実行できる。媒体Ｍの支持動作において、その作業位置から遠い位置に媒体Ｍの浮き１２が生じていた場合、一般的にそれを直す作業（浮き１２を無くす作業）は手間がかかる。しかしながら、該作業位置から遠い位置に非形成領域Ｒ２を形成することで、該作業位置から遠い位置に媒体Ｍの浮き１２が生じていても非形成領域Ｒ２により浮き１２を簡単に逃がす（抑制する）ことができる（浮き１２を無くす作業が簡単にできる）。
【００５３】
本発明の第８の態様の記録装置１は、第１から第７のいずれか１つの態様の媒体支持ユニット２と、媒体支持ユニット２に支持された媒体Ｍに記録を実行可能な記録部７と、を備えることを特徴とする。
【００５４】
本態様によれば、媒体Ｍの浮き１２を抑制して記録することができる。
【００５５】
本発明の第９の態様の記録装置１は、第８の態様において、媒体支持ユニット２を記録部７に対して移動可能な移動部３を備え、移動部３によって第１方向Ａ２に媒体支持ユニット２を移動させながら、媒体支持ユニット２に支持された媒体Ｍに対して記録部７により記録を実行可能であり、媒体支持ユニット２において、非形成領域Ｒ２は、第１方向Ａ２の後端側に形成されることを特徴とする。
【００５６】
本態様によれば、媒体支持ユニット２において、非形成領域Ｒ２は第１方向Ａ２の後端側に形成される。このため、例えば、媒体Ｍにインクなどの液体を吐出するなどして記録する記録装置１において、記録に伴って媒体Ｍが媒体支持ユニット２の移動方向である第１方向Ａ２に膨潤していく場合においても、第１方向Ａ２の後端側に非形成領域Ｒ２が形成されることで、効率的に媒体Ｍの浮きを逃がす（抑制する）ことができる。
【００５７】
本発明の第１０の態様の媒体支持方法は、媒体Ｍを支持可能な支持部４と、支持部４に支持される媒体Ｍを押さえることが可能な押さえ部１０と、を備える媒体支持ユニット２における媒体支持方法であって、支持部４に、押さえ部１０と組み合わせた場合に媒体Ｍの支持方向Ｃにおいて押さえ部１０と対向する対向領域Ｒのうち、一部の領域である一部領域Ｒ１に対向部１３を形成し、対向領域Ｒにおける対向部１３を形成せず、支持部４に支持され押さえ部１０で押さえられた媒体Ｍの一部が移動可能な非形成領域Ｒ２を設けることを特徴とする。
【００５８】
本態様によれば、支持部４に、押さえ部１０と組み合わせた場合に媒体Ｍの支持方向Ｃにおいて押さえ部１０と対向する対向領域Ｒのうち、一部の領域である一部領域Ｒ１に対向部１３を形成する。そして、対向領域Ｒにおける対向部１３を形成しない非形成領域Ｒ１から、支持部４に支持され押さえ部１０で押さえられた媒体Ｍの一部を、移動可能にする。すなわち、該非形成領域Ｒ２を形成することで、例えば膨潤した媒体Ｍを逃がすための領域（逃がし領域）を形成する。このため、媒体Ｍの浮きを抑制することができる。
【符号の説明】
【００５９】
１  記録装置、２  媒体支持ユニット、３  媒体搬送部（移動部）、
４  トレイ（支持部）、５  ステージ、６  キャリッジ、７  記録ヘッド（記録部）、
８  支持面、９  回転レバー、１０  押さえ部、１１  庇部、１１ａ  庇部の下面、
１２  媒体Ｍの浮き、１３  対向部、１３ａ  対向部１３の上面、
１３ｂ  対向部１３の非形成領域Ｒ２側の端部、１４  設置部、１５  位置決め部、
Ｍ  媒体、Ｒ  対向領域、Ｒ１  押さえ部１０と対向する対向領域Ｒの一部領域、
Ｒ２  対向部１３の非形成領域、Ｓ  センサー、  Ｓｅ  発光部、Ｓｒ  受光部
【図１】
0006429076.tif 000002
【図２】
0006429076.tif 000003
【図３】
0006429076.tif 000004
【図４】
0006429076.tif 000005
【図５】
0006429076.tif 000006
【図６】
0006429076.tif 000007
【図７】
0006429076.tif 000008